(57)【要約】【課題】外部の塵などが工具本体内に吸引されることを抑制できるようにしたバッテリ式電動工具を提供すること【解決手段】このバッテリ式電動工具１は、吸気口４６及び排気口４８を有するハウジング２４と、該ハウジング内に取り付けられたモータ２６と、モータ２６によって回転駆動される工具駆動部３８と、モータ２６と共に回転する冷却ファン３０と、ハウジング２４の周壁２４−３に設けられ、バッテリ１４を周壁２４−３の外側面上に着脱可能に装着するバッテリ装着部３２とを有する。バッテリ装着部３２は装着したバッテリ１４と周壁２４−３の吸気口４６が設けられている部分との間に上方に向けられた上向開口７４−１を有する空気取入空間７４を画定する。【選択図】図３
2020195868.tif 000002
【特許請求の範囲】
【請求項１】
加工作業時に被加工物に面する側の底壁、該底壁に対向する上方位置の頂壁、該底壁と頂壁との間の周壁を有するハウジングであって、該ハウジング内にハウジング外部の空気を取り入れるための吸気口、及び該ハウジングから空気をハウジング外部に排出する排気口を有し、少なくとも該吸気口は該周壁に設けられているハウジングと、
該ハウジング内に取り付けられたモータと、
該ハウジングに取り付けられて該モータによって駆動される工具駆動部と、
該ハウジング内に取り付けられ該モータの回転に伴って回転し、ハウジング外部の空気を該吸気口を通して該ハウジング内に吸引し該排気口を通してハウジング外部に排出して、該空気によって該ハウジング内が冷却されるようにする冷却ファンと、
該ハウジングの該周壁に設けられ、該モータに電力を供給するバッテリを該周壁の外側面上に着脱可能に装着するバッテリ装着部であって、バッテリを装着したときに該バッテリと該周壁の該吸気口が設けられている部分との間に上方に向けられた上向開口を有する空気取入空間を画定し、該冷却ファンが回転したときに該上向開口、該空気取入空間及び該吸気口を通して空気が該ハウジング内に吸引されるようにしたバッテリ装着部と、
を有するバッテリ式電動工具。
【請求項２】
該バッテリ装着部が、装着されたバッテリの底面を下方から少なくとも部分的に覆うようにして該ハウジングの該周壁から延びたる底板を有する、請求項１に記載のバッテリ式電動工具。
【請求項３】
該バッテリ装着部が、装着されたバッテリに該吸気口よりも下方の位置で接触又は近接して空気が該空気取入空間にその下方から流入するのを抑制するバッテリ対面部を有する、請求項1又は２に記載のバッテリ式電動工具。
【請求項４】
該空気取入空間が、少なくとも左右いずれかの方向に向かって開口して該空気取入空間への空気流入を可能にする側部開口を有する、請求項1乃至３の何れか一項に記載のバッテリ式電動工具。
【請求項５】
該バッテリ装着部は、バッテリを装着したときに、該吸気口から下方に続く位置で該周壁と該バッテリとの間に該空気取入空間に連続する延長下部空間が画定されるようにされた、請求項１乃至４の何れか一項に記載のバッテリ式電動工具。
【請求項６】
該工具駆動部が該ハウジングの前方部分に配置され、該周壁が前側壁部、後側壁部、及び左右の側壁部からなり、該吸気口が該後側壁部に設けられ、該バッテリ装着部が該後側壁部に設けられている、請求項１乃至５の何れか一項に記載のバッテリ式電動工具。
【請求項７】
該ハウジングが前後方向に延びる直方体状とされており、該工具駆動部、該冷却ファン、該モータが該ハウジング内で前方から後方に順に水平方向で配置されて該ハウジング内に取り付けられている、請求項1乃至６の何れか一項に記載のバッテリ式電動工具。
【請求項８】
該モータを制御するための制御回路の少なくとも一部が該モータと該吸気口との間に配置され、
該ハウジングが、該吸気口から吸引された空気を該制御回路の該少なくとも一部に向けるガイド部をさらに備える、請求項1乃至７の何れか一項に記載のバッテリ式電動工具。
【請求項９】
筒状とされて内側に該モータを同軸状に保持するモータ保持部材を更に備え、
該吸気口から吸引された空気が該モータ保持部材内に通されてから該排気口に向かうようにされている、請求項１乃至８の何れか一項に記載のバッテリ式電動工具。
【請求項１０】
該排気口が該冷却ファンに隣接する位置に設けられている、請求項１乃至９の何れか一項に記載のバッテリ式電動工具。
【請求項１１】
該バッテリ装着部は、バッテリが該ハウジングの高さ方向巾に収まるように装着可能とされている、請求項１乃至１０の何れか一項に記載のバッテリ式電動工具。
【請求項１２】
該ハウジングの該底壁に取り付けられて、当該ハウジングを被加工物に固定するための固定具を更に備える、請求項1乃至１１の何れか一項に記載のバッテリ式電動工具。
【請求項１３】
該底壁が前方から後方に水平に延びる水平部分と、該水平部分の後端から後方下方に傾斜して該ハウジングの後端まで延びる傾斜部分とを有し、
該固定具が該水平部分に取り付けられ、
該固定具には、後方に延びて該バッテリ装着部の下側にまで至るスタビライザーが設けられている請求項１２に記載のバッテリ式電動工具。
【請求項１４】
該工具駆動部は、その下端に作業工具が着脱可能に取り付けられる工具取付部を有し、該工具取付部が該ハウジング内に引き込められる引込位置と、該工具取付部が該ハウジングから下方に延出される延出位置との間で変位可能とされている、請求項１３に記載のバッテリ式電動工具。
【請求項１５】
該ハウジングの左右方向に水平に延びる軸線を中心に該ハウジングに回動可能に取り付けられた一対の脚部、及び該脚部の間に延びる把持部からなる逆Ｕ字状のハンドルであって、該脚部が該軸線から上方に延びて該把持部が使用者によって把持可能となる把持位置と、該把持部が該ハウジングの該頂壁に設けられた凹部に収納される収納位置との間で変位可能とされたハンドルをさらに備える、請求項１乃至１４の何れか一項に記載のバッテリ式電動工具。
【発明の詳細な説明】
【技術分野】
【０００１】
本発明は、バッテリ式電動工具に関し、より詳細にはハウジング内に配置された冷却ファンにより外気をハウジング内に吸引して、ハウジング内に配置された部材を冷却する構造を有するバッテリ式電動工具に関する。
【背景技術】
【０００２】
従来から、バッテリから供給される電力により駆動する可搬型のジグソーや穿孔機のようなバッテリ式電動工具が知られている。また、このようなバッテリ式電動工具において、工具本体内のモータや制御回路などの発熱体を冷却するために、工具本体内に配置された冷却ファンをモータで回転させて、工具本体内に外気を取り込むようにしたものがある。具体的には、工具本体に設けられた吸気口と排気口との間にモータや制御回路などの発熱体を配置することにより、吸気口から吸引された外気がこれら発熱体にあたるようにして発熱体を冷却するようになっている（特許文献１）。
【先行技術文献】
【特許文献】
【０００３】
【特許文献１】特許第４９９８８４６号公報
【発明の概要】
【発明が解決しようとする課題】
【０００４】
電動工具は、一般に、塵や埃が多い環境で使用されることが多い。また時には水や油で濡れた環境で使用されることもある。特にジグソーや穿孔機のような被加工物の切断や穿孔などの加工を行う電動工具の場合には、被加工物の切粉が発生する。上述のような冷却構造を有する電動工具がこのような環境で使用される場合、吸気口から外気と共に被加工物の周りに散乱している切粉などの塵、水、油などが一緒に工具本体内に吸引されてしまい工具本体内のモータや回路が故障してしまう原因となる場合がある。【０００５】
本発明は、そのような塵などが工具本体内に吸引されることを抑制できるようにしたバッテリ式電動工具を提供することを目的とする。
【課題を解決するための手段】
【０００６】
すなわち本発明は、
加工作業時に被加工物に面する側の底壁、該底壁に対向する上方位置の頂壁、該底壁と頂壁との間の周壁を有するハウジングであって、該ハウジング内にハウジング外部の空気を取り入れるための吸気口、及び該ハウジングから空気をハウジング外部に排出する排気口を有し、少なくとも該吸気口は該周壁に設けられているハウジングと、
該ハウジング内に取り付けられたモータと、
該ハウジングに取り付けられて該モータによって駆動される工具駆動部と、
該ハウジング内に取り付けられ該モータの回転に伴って回転し、ハウジング外部の空気を該吸気口を通して該ハウジング内に吸引し該排気口を通してハウジング外部に排出して、該空気によって該ハウジング内が冷却されるようにする冷却ファンと、
該ハウジングの該周壁に設けられ、該モータに電力を供給するバッテリを該周壁の外側面上に着脱可能に装着するバッテリ装着部であって、バッテリを装着したときに該バッテリと該周壁の該吸気口が設けられている部分との間に上方に向けられた上向開口を有する空気取入空間を画定し、該冷却ファンが回転したときに該上向開口、該空気取入空間及び該吸気口を通して空気が該ハウジング内に吸引されるようにしたバッテリ装着部と、
を有するバッテリ式電動工具を提供する。【０００７】
このバッテリ式電動工具においては、ハウジング内に吸引される空気は主として上方から吸引されるようになるため、特に水平におかれた被加工物をその上側から切削加工する場合などには、作業をしているバッテリ式電動工具の周りの被加工物や作業台などの上に散乱する切子や塵などがハウジング内に吸引されることが抑制される。また、このような空気取入空間を、装着されるバッテリを利用して形成するようにしたことにより、ハウジング自体に同様の空気取入空間を形成した場合に比べて、ハウジングの形状を簡易なものとすることが可能となる。なお、本願明細書において使用される「上方」、「底壁」、「頂壁」などの用語は、バッテリ式電動工具のハウジング内での相対的位置関係を規定するために用いるものであり、重力方向に対する絶対的な位置や方向を特定するためのものではない。例えば重力方向である鉛直方向を基準として「底壁」を上側にした場合には、「頂壁」は「底壁」の下方位置となり、当該バッテリ式電動工具における方向は鉛直方向を基準とした方向とは必ずしも一致しない。【０００８】
上記バッテリ式電動工具において、該バッテリ装着部が、装着されたバッテリの底面を下方から少なくとも部分的に覆うようにして該ハウジングの該周壁から延びたる底板を有するようにすることができる。水平におかれた被加工物をその上側から切削加工する場合などには、底板が切子などの散乱する被加工物や作業台などから空気取入空間を遮蔽する位置となり、ハウジング内への切子などの吸引をより確実に抑制することが可能となる。【０００９】
該バッテリ装着部が、装着されたバッテリに該吸気口よりも下方の位置で接触又は近接して空気が該空気取入空間にその下方から流入するのを抑制するバッテリ対面部を有するようにすることもできる。【００１０】
該空気取入空間が、少なくとも左右いずれかの方向に向かって開口して該空気取入空間への空気流入を可能にする側部開口を有するようにすることもできる。ハウジングへの空気の吸引を補助するものである。【００１１】
また、該バッテリ装着部は、バッテリを装着したときに、該吸気口から下方に続く位置で該周壁と該バッテリとの間に該空気取入空間に連続する延長下部空間が画定するようにすることもできる。上向開口内に流入した空気に含まれる可能性のある比較的重い塵などを考慮したもので、方向を変えて吸気口に吸引されるときに、そのような塵が延長下部空間に落下してハウジング内に吸引されるのを阻止することが可能となる。【００１２】
本発明に係るバッテリ式電動工具においては、該工具駆動部が該ハウジングの前方部分に配置され、該周壁が前側壁部、後側壁部、及び左右の側壁部からなり、該吸気口が該後側壁部に設けられ、該バッテリ装着部が該後側壁部に設けられているようにすることができる。工具駆動部とバッテリ装着部とをこのような位置関係にすることにより、ハウジングへの切子などの吸引をより効果的に行うことを可能とするものである。【００１３】
また、該ハウジングが前後方向に延びる直方体状とされており、該工具駆動部、該冷却ファン、該モータが該ハウジング内で前方から後方に順に水平方向で配置されて該ハウジング内に取り付けられているようにすることもできる。このようにすることによりハウジングの上下方向巾を小さくして、当該バッテリ式電動工具を低丈にすることを可能とするものである。【００１４】
本発明に係るバッテリ式電動工具においては、該モータを制御するための制御回路の少なくとも一部が該モータと該吸気口との間に配置され、該ハウジングが、該吸気口から吸引された空気を該制御回路の該少なくとも一部に向けるガイド部をさらに備えるようなものとすることができる。熱を生じる制御回路を効率的に冷却するためである。【００１５】
本発明に係るバッテリ式電動工具は、更にまた、筒状とされて内側に該モータを同軸状に保持するモータ保持部材を備え、該吸気口から吸引された空気が該モータ保持部材内に通されてから該排気口に向かうようにすることができる。モータの強制的冷却を行うためである。【００１６】
該排気口は、該冷却ファンに隣接する位置に設けられるようにすることができる。冷却効果をよくするために効率的に排気を行うためである。【００１７】
該バッテリ装着部は、バッテリが該ハウジングの高さ方向巾に収まるように装着可能とすることができる。バッテリ式電動工具の低丈化のためである。【００１８】
本発明に係るバッテリ式電動工具は更に、該ハウジングの該底壁の下面側に取り付けられて、当該ハウジングを被加工物に固定するための固定具を更に備えるようにすることができる。被加工物への穿孔を行う場合などには、当該バッテリ式電動工具を被加工物に固定して行うことができるようにするものである。固定具は機械的に固定を行うものや、磁石式に行うものなどとすることができる。【００１９】
この場合、該底壁が前方から後方に水平に延びる水平部分と、該水平部分の後端から後方下方に傾斜して該ハウジングの後端まで延びる傾斜部分とを有し、該固定具が該水平部分に取り付けられ、該固定具には、後方に延びて該バッテリ装着部の下側にまで至るスタビライザーが設けられるようにすることができる。このような構成は当該バッテリ式電動工具の低丈化のためである。スタビライザーは、当該バッテリ式電動工具の作業において工具を被加工物に押し付けたときにその反動で該バッテリ式電動工具が被加工物から浮き上がるのを防止するためのものであるが、作業者が当該バッテリ式電動工具を誤って落とした場合に、スタビライザーがバッテリ装着部を保護することも可能とする。【００２０】
この場合、該工具駆動部は、その下端に作業工具が着脱可能に取り付けられる工具取付部を有し、該工具取付部が該ハウジング内に引き込められる引込位置と、該工具取付部が該ハウジングから下方に延出される延出位置との間で変位可能とされるようにすることができる。【００２１】
また、本発明に係るバッテリ式電動工具は、該ハウジングが、当該ハウジングの左右方向に水平に延びる軸線を中心に該ハウジングに回動可能に取り付けられた一対の脚部及び該脚部の間に延びる把持部とからなる逆Ｕ字状のハンドルであって、該脚部が該軸線から上方に延びて該把持部が使用者によって把持可能となる把持位置と、該把持部が該ハウジングの該頂壁に設けられた凹部に収納される収納位置との間で変位可能とされたハンドルを備えるようにすることができる。当該バッテリ式電動工具の持ち運びを容易にするものである。【００２２】
以下、本発明に係るバッテリ式電動工具の実施形態を添付図面に基づき説明する。
【図面の簡単な説明】
【００２３】
【図１】本発明の一実施形態に係るバッテリ式電動工具の側面図である。
【図２】図１のII−II線における断面図である。
【図３】図２のIII−III線における断面図である。
【図４】図１のバッテリ式電動工具のバッテリを外した状態での斜視図である。
【発明を実施するための形態】
【００２４】
本発明の一実施形態に係るバッテリ式電動工具１は、図１に示すように、工具本体１０と、工具本体１０の下側に取り付けられた固定部１２と、を備える。工具本体１０の後方部分にはバッテリ１４が着脱可能に装着されている。また工具本体１０の前方位置には、環状カッター（作業工具）１６が着脱可能に取り付けられている。固定部１２は、電磁石式固定具２０と、電磁石式固定具２０から後方に延びるスタビライザー２２とからなる。当該バッテリ式電動工具１は、回転する環状カッター１６をレバー１８の操作により下降させて金属製の被加工物の穿孔加工を行うようにした穿孔機である。穿孔加工を行う際には、固定部１２の電磁石式固定具２０を被加工物に磁気吸着させることにより工具本体１０を被加工物に対して固定する。穿孔加工中は、被加工物に押し付けられる環状カッター１６が被加工物から受ける反力により、工具本体１０の前方部分が上方に持ち上げられるような力を受けるが、スタビライザー２２が被加工物に接触することにより浮き上がることをより確実に防止するようになっている。
【００２５】
図２及び図３に示すように、工具本体１０は、ハウジング２４と、ハウジング２４内に配置されたモータ２６と、モータ２６の回転軸２８に取り付けられた冷却ファン３０と、モータ２６に駆動電力を供給するバッテリ１４が装着されるバッテリ装着部３２を有する。モータ２６は、その回転軸線Ｒが工具本体１０の前後方向（図で見て左右方向）に向くように配置され、ハウジング２４内において前後方向で筒状に延びたモータ保持部材３４の内側に同軸状に保持されている。モータ２６の回転軸２８は、減速ギヤ機構３６を介して工具駆動部３８に駆動連結されている。工具駆動部３８は全体として垂直に延びる回転軸線を中心に回転可能で且つ上下方向で変位可能とされた筒状部材とされており、その下端には、環状カッター１６を着脱可能に取り付けるための工具取付部４０が設けられている。工具駆動部３８は、その外表面に垂直方向で延びるように設けられたラック４２と、レバー１８の回転軸に取り付けられてラック４２に噛合するピニオン４１とからなる送り機構４４によって、レバー１８の回動操作に伴い上下動するようになっている。工具駆動部３８は、その工具取付部４０がハウジング２４内に引き込められた引込位置と、工具取付部４０がハウジング２４から下方に延出される延出位置との間で変位可能となっている。図示のように、ハウジング２４内には、その前方から後方に向けて工具駆動部３８、送り機構４４、減速ギヤ機構３６、冷却ファン３０、モータ２６が順に水平方向で配置されている
【００２６】
ハウジング２４は、全体として前後方向に長く延びた直方体状の形状となっている。ハウジングは、固定部１２が被加工物に固定されて穿孔加工を行うときに被切削物に面するようにされる底壁２４−１と、底壁２４−１に対向する上方位置の頂壁２４−２と、底壁２４−１と頂壁２４−２との間の周壁２４−３とを有している。周壁２４−３は、前側壁部２４−４と、後側壁部２４−５と、前側壁部２４−４と後側壁部２４−５との間に延びる左右の側壁部２４−６とからなる。ハウジング２４は、図３及び図４に示すように、周壁２４−３の後側壁部２４−５に、外気をハウジング２４内に吸引するための吸気口４６を有する。またハウジング２４は、図２及び図４に示すように、周壁２４−３の左右の側壁部２４−６に吸気口４６から吸引した外気を排気するための排気口４８を有する。吸気口４６は横方向に延びる複数のスリット状の穴からなり、通常は金網フィルタ５０が取り付けられている。また、吸気口４６のハウジング２４の内側部分には、前方に向かって斜め上方に延びるルーバー５２が形成されている。このルーバー５２により、吸気口４６から水が浸入するのを防止するようにしている。排気口４８は冷却ファン３０に隣接する位置において斜め後方に面するように配置されている。図示の例では、底壁２４−１は前方位置から後方に延びる水平部分２４−１ａと該水平部分２４−１ａから後方下方に延びてハウジング２４の後端に至る傾斜部分２４−１ｂとを有しており、水平部分２４−１ａには電磁石式固定具２０が固定され、スタビライザー２２が傾斜部分２４−１ｂの下を通りバッテリ１４の下に位置するようにされている。このようにすることにより、バッテリ１４がハウジング２４の高さ方向巾に収まるようにして、電磁石式固定具２０及びバッテリ１４が、当該バッテリ式電動工具１における上下方向でコンパクトに収まるようにしている。図示の例では、ハウジング２４に当該バッテリ式電動工具１を持ち運ぶためのハンドル２５が設けられている。該ハンドル２５は、左右方向に水平に延びる軸線を中心にハウジング２４に回動可能に取り付けられた一対の脚部２５−１及びこの脚部の間に延びる把持部２５−２とからなる逆Ｕ字状とされており、脚部２５−１が上方に延びて把持部２５−２が使用者によって把持可能となる把持位置と、把持部２５−２がハウジング２４の頂壁２４−２に設けられた凹部２４−７に収納される収納位置との間で変位可能とされている。
【００２７】
ハウジング２４内にはさらに、モータ２６を制御するための制御回路５６が配置されている。制御回路５６は、モータ２６の上側において前後方向に配置された回路基板５８と、回路基板５８から下方に延びるように配置されたＦＥＴ（電界効果トランジスタ）６０と、ＦＥＴ６０に挟まれた放熱フィン６１とを有する。制御回路５６の一部であるＦＥＴ６０及び放熱フィン６１は吸気口４６とモータ２６との間に位置している。ＦＥＴ６０は、バッテリ１４からモータ２６に供給する電力を調整するための電子部品であり、比較的に大きな電流が流れることから発熱して高温になる。
【００２８】
モータ２６によって冷却ファン３０が回転されると、外気が吸気口４６からハウジング２４内に吸引される。吸引された空気は、ルーバー５２により上方に向かうがその前方の壁面６２に沿って下方に向けられる。ハウジング２４内の吸気口４６の下側位置には前方に向かって下向きに傾斜したガイド部６４が形成されており、吸引された空気はこのガイド部６４によって制御回路５６のＦＥＴ６０及び放熱フィン６１に向かって案内される。発熱したＦＥＴ６０及び放熱フィン６１に空気があたり、ＦＥＴ６０及び放熱フィン６１は冷却される。ＦＥＴ６０及び放熱フィン６１を通過した空気は、モータ保持部材３４内においてモータ２６のステータ６６とロータ６８との間を通過することによりモータ２６を冷却する。ステータ６６とロータ６８との間を通過した空気は、冷却ファン３０を通過して排気口４８からハウジング２４の外側に排気される。排気口４８は斜め後方に向いているため、空気は後方に向かって排気される。当該バッテリ式電動工具１は、このようにしてハウジング２４内に外気を通すことにより、駆動時に発熱するＦＥＴ６０やモータ２６を効率的に冷却できるようになっている。なお、排気口４８から後方に向かって空気が排気されるようにすることによって、環状カッター１６での穿孔加工時に発生する切粉を排気によって舞い上がらせないようにしている。
【００２９】
バッテリ装着部３２は、バッテリ１４の底面を下方から覆うようにしてハウジング２４の底壁２４−１から後方に延びた底板３２−１と、ハウジング２４の左右の側壁部２４−６から後方に延びてバッテリ１４を両側から支持する支持側部３２−２と、両支持側部３２−２の間で垂直に延び、装着されたバッテリ１４に実質的接触するバッテリ対面部３２−３と、該バッテリ対面部３２−３の上下方向中間位置（図４）に設けられて、装着されたバッテリ１４の接続端子と電気接続される端子部３２−４と、バッテリ対面部３２−３の幅方向中央位置から該バッテリ対面部３２−３と面一に吸気口４６下端の高さまで延びる面３２−５を備えるロック部３２−６とを有している。ロック部３２−６の図４で見て右側側面には、バッテリの(図示しない)ロック部を受け入れてバッテリ１４をバッテリ装着部３２にロックするロック溝３２−７が設けられている。吸気口４６はバッテリ対面部３２−３よりも前方に位置するハウジング２４の後側壁部２４−５の上方位置に設けられており、バッテリ装着部３２にバッテリ１４が装着された状態では、吸気口４６が設けられている後側壁部２４−５の上半部分とバッテリ１４との間に上方に開口する上向開口７４−１を有する空気取入空間７４が形成されると共に、吸気口４６から下方に続く位置でバッテリ１４と後側壁部２４−５との間に空気取入空間７４に連続する延長下部空間７６が形成されるようになっている。図示の例では、延長下部空間７６はロック部３２−６の両側にそれぞれ側方に開口するように設けられている。延長下部空間７６は空気取入空間７４で方向転換して吸気口４６に吸引される外気から落下してくる塵を収納することを可能とする。
【００３０】
当該バッテリ式電動工具１においては、上述のようにバッテリ１４と吸気口４６との間に上方に開口した空気取入空間７４が形成されているため、吸気口４６から吸引される外気は主として上方から吸引され、下方からは吸引されないようになる。従って穿孔作業において当該バッテリ式電動工具１の周囲に散乱する切子などの吸引を抑制することが可能となる。また、着脱可能に装着されるバッテリ１４を利用してこのような空気取入空間７４を形成するようにしたことによって、ハウジング２４だけで同様な空気取入空間７４を形成した場合に比べて、ハウジング２４の形状を簡易なものとすることが可能となる。なお、当該実施形態においては、空気取入空間７４は左右に向かって開口して空気取入空間７４への空気流入を可能にする側部開口７４−２を有する。
【００３１】
以上に本発明の実施形態について説明をしたが、本発明はこの実施形態に限定されるものではない。例えば、上記実施形態においては、工具本体の前方部分に工具駆動部が配置され、後方位置に吸気口が配置されているが、例えば吸気口を左右いずれかの側壁部に設けるなど、他の配置とすることもできる。固定具は電磁石を利用したものではなく、真空吸着やバイスのような他の形態のものとしてもよく、また該固定部を必ずしも設ける必要もない。さらには、例えば、作業工具としてドリルを利用したドリル装置や、工具取付部が上下に駆動されるようにして作業工具としてノコギリ歯を利用したジグソーのような、穿孔機以外の他のバッテリ式電動工具としてもよい。
【符号の説明】
【００３２】
１    バッテリ式電動工具
１０  工具本体
１２  固定部
１４  バッテリ
１６  環状カッター（作業工具）
１８  レバー
２０  電磁石式固定具
２２  スタビライザー
２４  ハウジング
２４−１  底壁
２４−１ａ  水平部分
２４−１ｂ  傾斜部分
２４−２  頂壁
２４−３  周壁
２４−４  前側壁部
２４−５  後側壁部
２４−６  側壁部
２４−７  凹部
２５  ハンドル
２５−１  脚部
２５−２  把持部
２６  モータ
２８  回転軸
３０  冷却ファン
３２  バッテリ装着部
３２−１  底板
３２−２  支持側部
３２−３  バッテリ対面部
３２−４  端子部
３２−５  面
３２−６  ロック部
３２−７  ロック溝
３４  モータ保持部材
３６  減速ギヤ機構
３８  工具駆動部
４０  工具取付部
４１  ピニオン
４２  ラック
４４  送り機構
４６  吸気口
４８  排気口
５０  金網フィルタ
５２  ルーバー
５６  制御回路
５８  回路基板
６０  ＦＥＴ（電界効果トランジスタ）
６１  放熱フィン
６２  壁面
６４  ガイド部
６６  ステータ
６８  ロータ
７４  空気取入空間
７４−１  上向開口
７４−２  側部開口
７６  延長下部空間
Ｒ    回転軸線
【図１】
2020195868.tif 000003
【図２】
2020195868.tif 000004
【図３】
2020195868.tif 000005
【図４】
2020195868.tif 000006
【国際調査報告】
2020195868.tif 000007
2020195868.tif 000008
2020195868.tif 000009
2020195868.tif 000010